(57)【特許請求の範囲】
【請求項１】
温水供給用の断熱管をコンクリート床に埋設し、その先端を床上に立ち上げて暖房床に連結するようにした床暖房装置において、套管を、入口を水平に向けると共に出口を斜め上方に向けてこの入口と出口とを結ぶ底面を弧状の曲面となるように床面に垂直な面内で膨んだ形状として且つ、上記出口よりも若干低い位置に底面が連続した曲面でつながって切断後に水平方向を向く突起部を成形した軟質樹脂で形成し、上記断熱管の先端部を上記套管に挿通して、接着テープ、粘着剤等のシール材でシールしたのちコンクリート中に埋め込み、コンクリート固化後に、床面と面一となるように上記套管を切断することを特徴とする床暖房装置の配管工法。
【発明の詳細な説明】
【０００１】
【産業上の利用分野】
本発明は、床暖房装置に温水を供給するための断熱管の配管工法に関するものである。
【０００２】
【従来の技術】
一般に床暖房装置においては、暖房床へ温水を供給する断熱管をコンクリート床に埋設する場合、断熱管が熱膨張によって伸縮する余裕を持たせておく必要がある。図４はそのための従来の床暖房装置の配管工法を示したもので、あらかじめコンクリート型枠を用いて床面に凹所１２を設け、コンクリートに埋設される温水供給用断熱管１の端部をこの凹所１２内に引き出しておき、コンクリート固化後にクランク形のエルボ１３によって床上に敷設された温水マット等の暖房床３に連結するようにしていた。この構成によれば、断熱材で被覆された樹脂管１ａの伸縮が凹所１２内で吸収されるので、断熱管１に無理な力が加わって破損したりするおそれはない。
【０００３】
【発明が解決しようとする課題】
しかしながら上述の従来構成においては、コンクリート型枠を組み立てたり、この型枠に断熱管１を貫通させて、セメントが流出しないように密封しておく作業が面倒であり、また凹所１２は床の構造上あまり大きくすることができないので、断熱管１と暖房床３との連結には、図示のようなクランク状のエルボ１３を使用する必要があり、連結作業が面倒であるという問題があった。本発明は上述の問題点を解消して、コンクリート型枠やそれを用いた面倒な作業等が必要でなく、しかもエルボ１３を使用しなくても直接断熱管１中の樹脂管１ａを暖房床３に連結することができるような床暖房装置の配管工法を提供することを目的とするものである。
【０００４】
【課題を解決するための手段】
本発明による床暖房装置の配管工法は、図１〜３に示すように、温水供給用の断熱管１をコンクリート床２に埋設し、その先端を床上に立ち上げて暖房床３に連結するようにした床暖房装置において、套管４を、入口６を水平に向けると共に出口７を斜め上方に向けてこの入口６と出口７とを結ぶ底面を弧状の曲面となるように床面に垂直な面内で膨んだ形状として且つ、上記出口７よりも若干低い位置に底面が連続した曲面でつながって切断後に水平方向を向く突起部を成形した軟質樹脂で形成し、上記断熱管１の先端部を、上記軟質樹脂製套管４に通して、接着テープ、粘着剤等のシール材５でシールしたのちコンクリート中に埋め込み、コンクリート固化後に、床面と面一となるように上記套管４をカッターナイフ等で切断するものであり、套管４が床面に垂直な面内で膨らんでいるために、断熱管１が套管４内で伸縮するゆとりがあり、また套管４が軟質樹脂製でできておりために、切断が容易である上に、木材等に比し内面が滑らかで断熱管１が内部で動き易く、また断熱管１の先端付近が套管４により密封されるので、コンクリートの打ち込み作業を簡単に安心して行うことができるという効果を有するものである。
【０００５】
【発明の実施の形態】
図１〜２は本発明工法の一実施例を示したものである。温水供給用の断熱管１は、樹脂管１ａを断熱材で被覆したもので、集合住宅等においてこの断熱管１をコンクリート床２に埋設するに当たり、まず断熱管１の先端部の断熱被覆材を所定長さ（例えば５００ｍｍ）だけ除去して往復２本の樹脂管１ａを露出させ、これを套管４に挿通する。軟質樹脂よりなる套管４は、図１に示すように、中間部が床面に垂直な面内で膨らんだ形状で、横幅は内部で断熱管１が軽く摺動できる程度の一定幅に成形されている。本実施例では、套管４の内底面はほぼ弧状をなして、入口６から水平に挿入された断熱管１を上方へ屈曲させ、断熱管１の先端部分の樹脂管１ａを出口７から突出させるようになっている。また出口７よりも若干低い位置に、上記切断後に水平方向に向いた樋状の出口となるような突起部８があらかじめ成形されており、套管４の弧状の底面と上記突起部８の底面とは連続した曲面でつながっている。
図２（ａ）及び（ｂ）は、上記套管４を使用して断熱管１をコンクリート床２に埋設する手順を示したもので、断熱管１をコンクリートを流し込む前に配管するに当たり、まず断熱管１の先端部を套管４に通し、その出入り口６及び７を接着テープ、粘着剤等のシール材５でシールしたのち、套管４の外側面に付された床面指示マーク１０がちょうど床面にくるように位置決めし、繋止用孔９に針金あるいは鉄筋を通して固定する。入口６と出口７との高低差は、套管４の傾斜角によって調節することができる。なおこのとき、樹脂管１ａがセメント等で汚損されるおそれがある場合には、樹脂管１ａにもビニール袋等を被せて保護しておけばよい。次に床面位置までコンクリートを流し込み、コンクリート固化後に、床面と面一となるように套管４をカッターナイフ等を用いて切断し、床面に突出している樹脂管１ａを水平方向に曲げて、暖房床３の管接続部に連結する。
【０００６】
図３は他の実施例を示したもので、套管４の入口６と出口７を高さの異なる平行すなわち段違い平行とし、入口６と出口７とを結ぶ底面をＳ字形の連続な曲面とすると共に、入口６から挿入された断熱管１が出口７付近の天井面１１により出口７へ案内されるようにしたものである。このようにすれば、樹脂管１ａが太くて硬い場合には、套管４内で樹脂管１ａがＳ字形に曲がり難いという欠点があが、樹脂管１ａが細い場合には内部で容易に曲げることができ、それにより断熱管１の配管時に樹脂管１ａの先端を正確に管接続位置へ配置することができるので、作業を容易に且つ正確に行うことができる。
【０００７】
【発明の効果】
本発明によれば上述のように、套管４を、入口６を水平に向けると共に出口７を斜め上方に向けてこの入口６と出口７とを結ぶ底面を弧状の曲面となるように床面に垂直な面内で膨んだ形状として且つ、上記出口７よりも若干低い位置に底面が連続した曲面でつながって切断後に水平方向を向く突起部を成形した軟質樹脂で形成しているため、断熱管１が套管４内で熱により伸縮するゆとりがあり、また套管４が軟質樹脂製でできているために、切断が容易である上に、木材等に比し内面が滑らかで断熱管１が内部で動き易く、また断熱管１の先端付近が套管４により密封されるので、コンクリートの流し込み作業を簡単に安心して行うことができ、従来のようにコンクリート型枠を組み立てて立ち上げ用の凹所１２を作る必要がないという利点がある。
【図面の簡単な説明】
【図１】（ａ）は本発明工法に用いる套管の一実施例の側面図、（ｂ）は（ａ）を右側から見た正面図。
【図２】（ａ）（ｂ）は本発明工法を説明する側面断面図。
【図３】本発明に用いる套管の他の実施例の断面図。
【図４】従来のこの種の工法を示す縦断面図。
【符号の説明】
１    断熱管
１ａ  樹脂管
２    コンクリート床
３    暖房床
４    套管
５    シール材
６    入口
７    出口
８    突起部
９    繋止用孔
１０    床面指示マーク
１１    天井面
１２    凹所
１３    エルボ
【図１】
0003802664.tif 000002
【図２】
0003802664.tif 000003
【図３】
0003802664.tif 000004
【図４】
0003802664.tif 000005